【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
所定面上に形成された被写体像に基づく光束を、正立像形成部材と、光軸に対して傾斜した２つの光学面とを通過させて、接眼光学系に導光する観察光学系と、
前記正立像形成部材の近傍に設けられた第１表示体からの光束を前記２つの光学面で反射させて前記接眼光学系に導光する表示光学系とを有し、前記観察光学系と前記表示光学系により前記被写体像と前記第１表示体に表示された表示情報を、同一視野で観察可能とするファインダー光学系において、
前記表示光学系は、前記第１表示体より観察側へ順に、正の屈折力の第１レンズ、光入射面から入射した光束を反射して光出射面より出射させる内面反射面を有する光学プリズム、正の屈折力の第２レンズとを有することを特徴とするファインダー光学系。
【請求項２】
前記第１レンズの焦点距離をｆ１、前記第２レンズの焦点距離をｆ２とするとき、
０．４＜ｆ２／ｆ１＜１．８
なる条件式を満たすことを特徴とする請求項１に記載のファインダー光学系。
【請求項３】
前記第２レンズの焦点距離をｆ２、前記第１レンズと前記第２レンズの光軸方向の主点間隔をＨ１、前記第２レンズと、前記接眼光学系を構成するレンズの中で前記正立像形成部材の最も近くに配置されたレンズとの光軸方向の主点間隔をＨ２とするとき、
１．０＜ｆ２／（Ｈ２−Ｈ１）＜１１．５
なる条件式を満たすことを特徴とする請求項１又は２に記載のファインダー光学系。
【請求項４】
前記所定面の近傍に第２表示体が配置されており、前記第２表示体に表示される表示情報の視度と、前記表示光学系の第１表示体に表示される表示情報の視度は一致していることを特徴とする請求項１乃至３のいずれか１項に記載のファインダー光学系。
【請求項５】
前記所定面上に形成された被写体像の視度と、前記表示光学系の第１表示体の表示情報の視度は一致していることを特徴とする請求項１乃至４のいずれか１項に記載のファインダー光学系。
【請求項６】
前記２つの光学面のうち少なくとも一方は、ハーフミラーまたはダイクロイックミラーから構成されることを特徴とする請求項１乃至５のいずれか１項に記載のファインダー光学系。
【請求項７】
前記２つの光学面は、それぞれ１つの透明部材より形成されており、前記所定面上に形成された被写体像からの光束は、前記２つの光学面のうち第１の光学面、第２の光学面の順に通過して前記接眼光学系に入射し、前記第１表示体からの光束は、前記第２の光学面、前記第１の光学面の順で反射した後、前記第２の光学面を通過して前記接眼光学系に入射することを特徴とする請求項１乃至６のいずれか１項に記載のファインダー光学系。
【請求項８】
請求項１乃至７のいずれか１項に記載のファインダー光学系と、該ファインダー光学系の所定面上に被写体像を形成する撮像光学系と、該撮像光学系によって形成される像を受光する撮像手段とを有することを特徴とする撮像装置。
【手続補正２】
【補正対象書類名】明細書
【補正対象項目名】０００８
【補正方法】変更
【補正の内容】
【０００８】
本発明のファインダー光学系は  所定面上に形成された被写体像に基づく光束を、正立像形成部材と、光軸に対して傾斜した２つの光学面とを通過させて、接眼光学系に導光する観察光学系と、  前記正立像形成部材の近傍に設けられた第１表示体からの光束を前記２つの光学面で反射させて前記接眼光学系に導光する表示光学系とを有し、前記観察光学系と前記表示光学系により前記被写体像と前記第１表示体に表示された表示情報を、同一視野で観察可能とするファインダー光学系において、
前記表示光学系は、前記第１表示体より観察側へ順に、正の屈折力の第１レンズ、光入射面から入射した光束を反射して光出射面より出射させる内面反射面を有する光学プリズム、正の屈折力の第２レンズとを有することを特徴としている。
【手続補正３】
【補正対象書類名】明細書
【補正対象項目名】００１１
【補正方法】変更
【補正の内容】
【００１１】
以下に本発明の好ましい実施の形態を添付の図面に基づいて詳細に説明する。本発明の
ファインダー光学系は、撮像光学系によって焦点板等の所定面上に形成された被写体像に
基づく光束を、正立像形成部材と、光軸に対して傾斜した２つの光学面とを通過させて、
接眼レンズに導光する観察光学系を有する。更に正立像形成部材の近傍に設けられた第１
表示体からの光束を２つの光学面で反射させて接眼光学系に導光する表示光学系とを有す
る。そして観察光学系と表示光学系により被写体像と第１表示体に表示された表示情報を
同一視野で観察する。
【手続補正４】
【補正対象書類名】明細書
【補正対象項目名】００１３
【補正方法】変更
【補正の内容】
【００１３】
本実施例のファインダー光学系は観察光学系と表示光学系を有する。このうち観察光学
系の光路は次のとおりである。撮像光学系１によって形成される被写体像は、クイックリターンミラー２で反射し、焦点板３の拡散面上（所定面上）に形成される。する。所定面に形成した被写体像に基づく光束は、コンデンサーレンズ４、ペンタダハプリズムよりなる正立像の形成部材（正立像形成部材）５を通る。そして観察光学系の光軸Ｆａに対して互いに異なる方向に傾いた２つの光学面６ｃ、６ｂを有するプリズム（透明部材）６と接眼光学系７を通って観察者の目（瞳）Ｅａに至る。ここで光学面６ｃは第１光学面であり、光学面６ｂは第２光学面である。
【手続補正５】
【補正対象書類名】明細書
【補正対象項目名】００１５
【補正方法】変更
【補正の内容】
【００１５】
正立像の形成部材５の近傍に配置された第１表示体８に表示された表示情報からの光束は、第１レンズ９、光学プリズム１０、第２レンズ１１を通って、プリズム６の光学面（光入射面）６ａを透過する。その後、観察光学系の光軸Ｆａに対してそれぞれ異なる方向に傾斜した２つの光学面（第２光学面）６ｂ、光学面（第１光学面）６ｃの順に反射し、次いで光学面６ｂを透過して、接眼光学系７を通って観察者の目（瞳）Ｅａに至る。
【手続補正６】
【補正対象書類名】明細書
【補正対象項目名】００１６
【補正方法】変更
【補正の内容】
【００１６】
本実施例においては、第１表示体８、第１レンズ９、光学プリズム１０、第２レンズ１１、
プリズム６、接眼光学系７等の各部材は表示光学系を構成する。Ｆｂは表示光学系の光軸
である。尚、本実施例においては、観察光学系の第２表示体１２の視度と、表示光学系の
第１表示体８の表示情報の視度は一致している。
【手続補正７】
【補正対象書類名】明細書
【補正対象項目名】００１８
【補正方法】変更
【補正の内容】
【００１８】
本実施例において２つの光学面６ｂ、６ｃのうち少なくとも一方の光学面はハーフミラ
ー又はダイクロイックミラーである。プリズム体６の光学面６ｃを可視光の特定の波長域
（例えば６５０ｎｍ以上）を反射し、残りの可視光は透過させるダイクロイックミラーで
構成したときの光路は次のとおりである。このとき観察光学系としての焦点板３からの光
束であって正立像の形成部材５から出射する光束のうち、可視光の大部分（例えば６５０
ｎｍ以下）はプリズム体６の光学面６ｃ、光学面６ｂを透過した接眼光学系７に入射し、
被写体像の観察用に用いられる。
【手続補正８】
【補正対象書類名】明細書
【補正対象項目名】００１９
【補正方法】変更
【補正の内容】
【００１９】
一方、表示光学系としての表示体８の表示情報からの光束はプリズム体６の光入射面６ａから入射し、光学面６ｂで全反射する。そして全反射した光束のうち可視光の特定の波長域（例えば６５０ｎｍ以上）は光学面６ｃで反射して光学面６ｂを透過した接眼光学系７に入射し、第１表示体８の観察用に用いられる。
【手続補正９】
【補正対象書類名】明細書
【補正対象項目名】００２０
【補正方法】変更
【補正の内容】
【００２０】
プリズム体６の光学面６ｃをハーフミラーより構成したときの光路は次のとおりである
。このとき観察光学系としての焦点板３からの光束であって、正立像の形成部材５から出
射する光束の一部は光学面６ｃを透過し、その後光学面６ｂを透過して接眼レンズ７に入
射し被写体像の観察に用いられる。表示光学系としての第１表示体８からの光束はプリズム体
６の光入射面６ａから入射し、光学面６ｂで全反射し、全反射した光束の一部は光学面６
ｃで反射し、その後光学面６ｂを透過して接眼光学系７に入射し、第１表示体８の観察用に用
いられる。
【手続補正１０】
【補正対象書類名】明細書
【補正対象項目名】００２３
【補正方法】変更
【補正の内容】
【００２３】
表示光学系の一部を構成する光学プリズム１０は内部に１つの反射面１０ａを有してお
り、第１表示体８からの光束を内面反射している。第１表示体８と第１レンズ９は正立像の形成部材５の反射面５ａ近傍に配置されている。これによって、ファインダー光学系の高さを抑えて、さらには表示体８と図示されていないカメラの他部品、例えばアクセサリーシューが干渉して、カメラが高さ方向に大型化することを軽減している。
【手続補正１１】
【補正対象書類名】明細書
【補正対象項目名】００３１
【補正方法】変更
【補正の内容】
【００３１】
条件式（１）は、第１レンズ９の焦点距離ｆ１と第２レンズ１１の焦点距離ｆ２の比に
関する。条件式（１）は、ファインダー光学系が高さ方向に大型化するのを防ぎつつ、表
示体８の表示情報を精細に広い視野角で観察するためのものである。条件式（１）の下限
値を下回ると、表示光学系で観察される第１表示体８の表示情報の拡大倍率が小さく視野角が狭くなる。一方、条件式（１）の上限値を上回ると、第１レンズ９と光学プリズム１０が増大して、ファインダー光学系が高さ方向に大型化する。さらには、表示光学系の像面湾曲、非点収差が増大し、良好なる観察が困難になる。
【手続補正１２】
【補正対象書類名】明細書
【補正対象項目名】００３２
【補正方法】変更
【補正の内容】
【００３２】
さらに、各実施例では第１レンズ９と第２レンズ１１の光路を展開したときの光軸方向
の主点間隔をＨ１、第２レンズ１１と、接眼光学系７を構成するレンズの中で正立像形成
部材５の最も近くに配置されたレンズの光路を展開する。光軸方向の主点間隔をＨ２とす
る。このとき、
１．０＜ｆ２／（Ｈ２−Ｈ１）＜１１．５      ・・・（２）
なる条件式を満足している。
【手続補正１３】
【補正対象書類名】明細書
【補正対象項目名】００３３
【補正方法】変更
【補正の内容】
【００３３】
この条件式（２）は、表示光学系の第１表示体８の表示情報の視度が焦点板３もしくは第２表示体１２の表示情報と一致又は略一致させつつ、表示光学系の諸収差を軽減しつつ視野角が大きくなるようにするためのものである。条件式（２）の下限値を下回ると、表示光学系で観察される第１表示体８の表示情報の拡大倍率が小さく視野角が狭くなる。条件式（２）の上限値を上回ると、表示光学系の像面湾曲、非点収差が増大し、良好なる観察が困難になる。